(57)【要約】【課題】書類の出し入れが容易なインデックス及びファイルを提供すること。【解決手段】インデックス５は、開口部を有するポケットに収容可能であり、本体シート５１と、ポケットの底部側が閉じられたホルダ５３とを有する。ホルダ５３は、本体シート５１の一方面側と固定される接着片５２１と、本体シート５１の他方面側に配置される保持片５２２とを有するホルダシート５２により形成される。また、ファイルは、上記のインデックス５と、ポケットと、そのポケットを複数綴じたカバーと、を備える。【選択図】  図３
2018176436.tif 000002
【特許請求の範囲】
【請求項１】
開口部を有するポケットに収容可能であり、本体シートと、前記ポケットの底部側が閉じられたホルダとを有することを特徴とするインデックス。
【請求項２】
前記ホルダは、前記本体シートと更に側端側において接続されることを特徴とする請求項１に記載のインデックス。
【請求項３】
前記ホルダは、前記本体シートの一方面側と固定される接着片と、前記本体シートの他方面側に配置される保持片とを有するホルダシートにより形成されることを特徴とする請求項１又は請求項２に記載のインデックス。
【請求項４】
前記ホルダは、前記インデックスの前記ポケットへの収容方向に長辺を有する帯状に形成されることを特徴とする請求項１乃至請求項３の何れかに記載のファイル。
【請求項５】
請求項１乃至請求項４の何れかに記載のインデックスと、
前記ポケットと、
前記ポケットを複数綴じたカバーと、
を備えることを特徴とするファイル。
【発明の詳細な説明】
【技術分野】
【０００１】
本発明は、書類等を収容するインデックス及びファイルに関する。
【背景技術】
【０００２】
従来から、書類等を収容するファイルにおいて、上辺の一辺部分を開口して書類の出し入れを可能としたファイル用書類ポケットが提案されている。例えば、特許文献１には、ポケット袋体と、仕切りシートとを備えた上部に開口のあるファイル用書類ポケットが開示されている。この書類ポケットでは、ポケット袋体の上部が全幅に亘って大きく谷型にカットされており、仕切りシートがポケット袋体内で綴じ代側溶着部に固定されて組み込まれる。ポケット袋体の一方の側辺には、ファイルに差し替えるためのファイル閉じ穴が形成される。また、仕切シート上部の横端には、見出し等を張り付けることが例示されている。
【先行技術文献】
【特許文献】
【０００３】
【特許文献１】特開２０１２−６１８３４号公報
【発明の概要】
【発明が解決しようとする課題】
【０００４】
特許文献１のファイル用書類ポケットは、収容された書類の上方部分が外部に露出しているため、書類の収容時やファイルの保管時に、書類が書類ポケットから脱落する等、収容性に不都合が生じることが想定される。
【０００５】
また、この書類ポケットを、ファイルのリフィールとして複数使用する場合では、使用者が特定の書類を取り出そうとすると、ファイルを一度開いてから書類が収容されている書類ポケットを特定し、さらにポケット袋体の上方に露出した書類の束を捲ってその書類を検索しなければならない。したがって、その取り出し操作が煩雑になる。
【０００６】
本発明は、書類の出し入れが容易なインデックス及びファイルを提供することを目的とする。
【課題を解決するための手段】
【０００７】
本発明に係るインデックスは、開口部を有するポケットに収容可能であり、本体シートと、前記ポケットの底部側が閉じられたホルダとを有する。
【０００８】
本発明に係るファイルは、上述のインデックスと、前記ポケットと、前記ポケットを複数綴じたカバーと、を備えることを特徴とするファイル。
【発明の効果】
【０００９】
本発明によれば、書類の出し入れが容易なインデックス及びファイルを提供することができる。
【図面の簡単な説明】
【００１０】
【図１】本発明の実施形態１に係るファイルを示す図であり、（ａ）はファイルを見開いた状態の表紙側を示す正面図であり、（ｂ）はファイルを見開いた状態の内側を示す裏面図である。
【図２】本発明の実施形態１に係るファイルのカバー及びポケットを示す平面模式図である。
【図３】本発明の実施形態１に係るインデックスを示す図であり、（ａ）は正面図を示し、（ｂ）は裏面図を示す。
【図４】本発明の実施形態１に係るホルダシートを示す図である。
【図５】本発明の実施形態１に係るファイルの使用状態を示す図である。
【図６】本発明の実施形態２に係るインデックスを示す図であり、（ａ）は正面図を示し、（ｂ）は左側面図を示す。
【図７】本発明の実施形態３に係るインデックスを示す図であり、（ａ）は正面図を示し、（ｂ）は右側面図を示し、（ｃ）は実施形態３のインデックスの変形例の右側面図を示す。
【図８】本発明の実施形態４に係るインデックスを示す図であり、（ａ）は正面図を示し、（ｂ）は右側面図を示す。
【図９】本発明の実施形態５に係るインデックスを示す図であり、（ａ）は正面図を示し、（ｂ）は右側面図を示し、（ｃ）は実施形態５のインデックスの変形例の右側面図を示す。
【図１０】本発明の実施形態６に係るインデックスを示す図であり、（ａ）は正面図を示し、（ｂ）は右側面図を示す。
【図１１】本発明の実施形態７に係るインデックスを示す図であり、（ａ）は正面図を示し、（ｂ）は左側面図を示し、（ｃ）は実施形態７のインデックスの変形例の左側面図である。
【図１２】本発明の実施形態８に係るインデックスを示す図であり、（ａ）は正面図を示し、（ｂ）は左側面図を示す。
【発明を実施するための形態】
【００１１】
（実施形態１）
以下、図に基づいて本発明の実施形態１を説明する。図１（ａ）はファイルの見開いた状態の表紙側を示す正面図であり、図１（ｂ）はファイルの見開いた状態の内側を示す裏面図である。また、図２はファイル１のカバー２及びポケット３を示す平面模式図である。本実施形態のファイル１は、複数のポケット３を有する左開きのファイルである。このポケット３内には、インデックス５（５Ａ〜５Ｌ）とともに書類等を収容することができる。以下、ファイル１の説明において、図１（ａ）の切欠部２１１側を上とし、その反対側を下として説明する。
【００１２】
図１（ａ）及び図１（ｂ）で、ファイル１は、カバー２と複数のポケット３を備える。カバー２は、表表紙２１、背表紙２２及び裏表紙２３を有する。表表紙２１の上方には、左右方向に長い略矩形状の切欠部２１１が形成される。
【００１３】
表表紙２１及び背表紙２２には、インデックスや化粧紙等を収容するホルダ４が形成される。ホルダ４は、薄い略矩形状のシート４１が表表紙２１及び裏表紙２３と接着されることにより形成される。シート４１は、表表紙２１、背表紙２２及び裏表紙２３よりも上下幅が短く形成される。また、シート４１の左右幅は、表表紙２１側では前小口側が短く形成される。シート４１と表表紙２１とは、接着部４２によって接着される。接着部４２は、熱容着等により溶着される。接着部４２は、シート４１の下端４１ｂ及び表表紙２１の下端２１ｂに沿って、シート４１の側端４１ｄ側からカバー２の背表紙２２側へ向かって延設される。
【００１４】
また、シート４１と裏表紙２３とは、接着部４３によって接着される。接着部４３は、熱溶着等により溶着される。接着部４３は、背表紙２２に沿ってシート４１の上端４１ａから下端４１ｂに亘って形成される。また、表表紙２１、背表紙２２及び裏表紙２３の下端２１ｂ，２２ｂ，２３ｂにおいて、接着部４２と接着部４３との間には、シート４１とカバー２とが接着されない開通部４４が形成される。
【００１５】
図１（ａ）の表表紙２１側において、シート４１の上方角部４５は、切欠部２１１によって形成された表表紙２１の角部２１２よりも曲率半径の大きいＲ面取り状に形成される。シート４１の上端４１ａと、背表紙２２の左右方向反対側の側端４１ｄとは、表表紙２１と接着されていないため、ファイル１の使用者は、シート４１を上方角部４５から捲って、ホルダ４内に書類や表紙を収容させることができる。
【００１６】
図２に示すように、本実施形態のファイル１は１２枚のポケット３を有する。ポケット３は、収容対象とするインデックス５や書類の大きさよりもやや大きい幅で略矩形状に形成される（図１（ｂ）も参照）。ポケット３は、上端に開口部３ａを有しており、その他の辺は閉じられて形成される。カバー２は、接続部３０１により複数のポケット３を綴じるように固定する。接続部３０１は、超音波溶着等の溶着により形成される。接続部３０１は、図１（ｂ）に示すように、ポケット３の開口部３ａから下端である底部３ｂに亘って形成される。各ポケット３内には、上下幅及び左右幅がポケット３内部よりもやや狭く形成されたインデックス５が収容される。
【００１７】
図３（ａ）はインデックス５Ａ（５）の正面図であり、図３（ｂ）はインデックス５Ａ（５）の裏面図である。インデックス５Ａは、全体が略矩形の薄い板状に形成される。インデックス５Ａは、ポケット３内に収容する書類等と略同じ矩形形状とすることができる。インデックス５は、本体シート５１及びホルダシート５２により形成される。
【００１８】
本体シート５１は、略矩形状に形成される。本体シート５１の上端５１ａの一部には、ラベル５１１が設けられる。ラベル５１１は、基端側よりも先端側の左右幅が狭い略台形状に形成される。上端５１ａにおけるラベル５１１の位置は、インデックス５の収容されるポケット３によって異なる。本図のインデックス５Ａのラベル５１１Ａは、１ページ目のポケット３に収容されるため、その他のインデックス５Ｂ〜５Ｌよりも左端の位置に設けられる（図１（ａ）、図１（ｂ）及び図２も参照）。また、インデックス５の収容状態では、各ラベル５１１は、ポケット３の上端から露出しており、切欠部２１１により外部から視認し易く形成される。
【００１９】
図４は、インデックス５のホルダシート５２を示す図である。ホルダシート５２は、略長方形の帯状に形成される。
【００２０】
ホルダシート５２は、短辺方向の一方側に接着片５２１を有し、他方側に保持片５２２を有する。ホルダシート５２の上端５２ａには、接着片５２１と保持片５２２との間の境界５２４において、切込部５２ａ１が形成される。切込部５２ａ１の保持片５２２側及び接着片５２１側の各内縁は、略同じ曲率半径の凸円弧状に形成される。
【００２１】
接着片５２１の下端５２１ｂは、保持片５２２の下端５２２ｂよりも上方に位置する。したがって、下端５２１ｂと下端５２２ｂとは、凸円弧状に接着片５２１側に形成された角部５２３を介して接続される。切込部５２ａ１の両内縁の曲率半径及び角部５２３の曲率半径は、本体シート５１の各角部５１３の曲率半径と略同じに形成される。
【００２２】
保持片５２２は、接着片５２１よりも短辺方向の幅が広く形成される。保持片５２２の下端５２２ｂからは、略矩形状の舌片部５２５が延設される。舌片部５２５は、保持片５２２の左右幅より狭く形成される。また、舌片部５２５は、基端側が角部５２３と干渉しない位置となるように設けられる。なお、舌片部５２５は、保持片５２２の下端５２２ｂの全域に亘る幅で形成してもよい。
【００２３】
このような形状で形成された、ホルダシート５２は、接着片５２１と保持片５２２との境界５２４によって折り曲げられ、図３（ａ）及び図３（ｂ）に示した本体シート５１に対して取り付けられる。接着片５２１は図３（ｂ）に示す本体シート５１の一方面側である裏面側へ配置され、境界５２４で折り返された保持片５２２は図３（ａ）に示す本体シート５１の他方面側である表面側へ配置される。舌片部５２５は、本体シート５１の表面側から下端５１ｂを介して裏面側へ折り返される。舌片部５２５の先端側の一部は、接着片５２１の下端部分と重ねられる。接着片５２１が、舌片部５２５を本体シート５１との間で挟みながら、本体シート５１に固定される。
【００２４】
ホルダシート５２の接着片５２１は、本体シート５１の裏面側において、折り返された舌片部５２５と共に、熱溶着等によって溶着される。溶着によって形成された接着部５２６は、長辺方向である上端５１ａから下端５１ｂに亘って形成される。
【００２５】
このように、ホルダシート５２の接着片５２１と舌片部５２５とが本体シート５１の裏面側に折り返されてホルダシート５２が本体シート５１と固定されるため、インデックス５には、本体シート５１の下端５１ｂ側と前小口側である右側端５１ｄ側とが閉じられ、本体シート５１の上端５１ａ側と内側が開口されたホルダ５３が形成される。ホルダ５３は、インデックス５のポケット３への収容方向に長辺を有する帯状に形成される。
【００２６】
なお、以上説明したファイル１を構成するカバー２、ポケット３、ホルダ４、インデックス５等の各部材は、ＰＰ（ポリプロピレン）等の柔軟性のある材料により形成することができる。
【００２７】
図５は、ファイル１の使用状態を示す図である。本図では、書類６の収納時又は取出時の作業途中の様子について示している。まず、書類６を収容する例について説明する。使用者は、書類６を収容する対象のポケット３を、ラベル５１１により特定し、特定したラベル５１１を上方に引き上げることでインデックス５全体をポケット３から取り出す。ここでは、インデックス５Ｅを途中まで引き出した様子が示されている。
【００２８】
書類６の下端６ｂは、引き出されたインデックス５の本体シート５１と保持片５２２との間に挿入するように、保持片５２２の上端５２ａから侵入させる。ホルダシート５２が本体シート５１の下端５１ｂまで形成されているため、図５の右側端５１ｄ方向（右方向）及び図５の手前及び奥方向の、書類６の移動が規制される。また、インデックス５の一部をポケット３から取り出した状態で書類６を本体シート３１と保持片５２２に挿入する場合、書類６は、図５の左方向の移動がポケット３内部により規制される。そのため、使用者は、書類６を本体シート５１とホルダシート５２との間に沿ってインデックス５内に容易に収容させることができる。
【００２９】
書類６がホルダ５３の下端５３ｂに達すると、それ以降の書類６の移動は規制される。その後、使用者が書類６をインデックス５とともにポケット３内に収容して、書類６の収容作業は終了する。
【００３０】
つぎに、使用者が書類６を取り出す例について説明する。使用者は、取り出す書類６が収容されているポケット３を、収容状態のインデックスのラベル５１１により特定し、ラベル５１１を上方に引き上げることでインデックス５を取り出す。その際、ポケット３内に収容されていた書類６は、ホルダ５３の下端５３ｂにより上方向に支持されて、インデックス５とともに取り出される。図５では、インデックス５Ｅを取り出した様子が示されている。
【００３１】
したがって、使用者は、ラベル５１１Ｅを引き上げるだけで容易にポケット３内から書類６を取り出すことができる。使用者は、インデックス５Ｅとともに引き出した書類６の中から必要なものを取り出し、残った書類６とともにインデックス５Ｅをポケット３内に収容する。これにより書類６の取出作業は終了する。
【００３２】
なお、本実施形態では、本体シート５１にホルダシート５２が取り付けられることによりホルダ５３が形成されたインデックス５を示したが、このインデックス５は一体部材により形成してもよい。例えば、一枚の本体シート５１の右側端５１ｄの一部を裏側から表側に折り返して図３（ａ）のようなホルダ５３を形成することができる。この場合、ホルダ５３の下端５３ｂは、熱溶着等により接続させて形成することができる。
【００３３】
つぎに、インデックス５の他の形態について説明する。なお、以下の実施形態２〜実施形態８の図６〜図１２の説明において、実施形態１と同様の構成については同一の符号を付し、その説明を省略又は簡略化する。また、図６〜図１２に示した右側面図及び左側面図は、いずれも模式的に示したものである。
【００３４】
（実施形態２）
まず、実施形態２について説明する。図６（ａ）は、実施形態２のインデックス５Ａ２の正面図であり、図６（ｂ）はインデックス５Ａ２の左側面図である。
【００３５】
インデックス５Ａ２は、本体シート５１とホルダシート５２Ｂにより形成される。ホルダシート５２Ｂは、上下方向に長尺の略矩形の帯状に形成される。ホルダシート５２Ｂの上端及び下端は、本体シート５１の上端５１ａから下端５１ｂに亘って形成される。ホルダシート５２Ｂは、境界５２４Ｂを境に２つ保持片５２２Ｂを有する。ホルダシート５２Ｂは境界５２４Ｂにより折り曲げられて、本体シート５１の右側端５１ｄ側に取り付けられる。よって、一方の保持片５２２Ｂは図６（ａ）に示す本体シート５１の表面側に配置され、他方の保持片５２２Ｂは本体シート５１の裏面側に配置される（図６（ｂ）も参照）。
【００３６】
また、ホルダシート５２Ｂと本体シート５１とは接着部５２７及び接着部５２８によって固定される。接着部５２７は、本体シート５１の右側端５１ｄ側において、長辺方向である上端５１ａから下端５１ｂに亘って形成される。接着部５２８は、本体シート５１の下端５１ｂ付近において、左右方向に亘って形成される。接着部５２７，５２８は、熱溶着等によって溶着することができる。
【００３７】
このように、接着部５２７，５２８によって、インデックス５Ａ２には、本体シート５１の下端５１ｂ側と前小口側である右側端５１ｄ側が閉じられ、本体シート５１の上端５１ａ側と内側が開口されたホルダ５３Ｂが本体シート５１の両面に形成される。そのため、インデックス５Ａ２には、両面に書類を収容することができ、収容性を高めることができる。
【００３８】
（実施形態３）
つぎに、実施形態３について説明する。図７（ａ）は実施形態３のインデックス５Ａ３の正面図であり、図７（ｂ）はインデックス５Ａ３の右側面図である。
【００３９】
インデックス５Ａ３は、本体シート５１とホルダシート７２により形成される。ホルダシート７２は、左右方向に長尺の略矩形の帯状に形成される。ホルダシート７２の左側端７２ｃ及び右側端７２ｄは、本体シート５１ののど側である左側端５１ｃから前小口側である右側端５１ｄに亘って形成される。ホルダシート７２は、境界７２３を境に一方側に保持片７２２を有し、他方側に接着片７２１を有する。境界７２３で折り曲げられたホルダシート７２は、本体シート５１の下端５１ｂ側に取り付けられる。ホルダシート７２の保持片７２２は図７（ａ）に示す本体シート５１の表面側に配置され、接着片７２１は本体シート５１の裏面側に配置される（図７（ｂ）も参照）。
【００４０】
ホルダシート７２の接着片７２１は、接着部７２４によって本体シート５１に裏面側から固定される。接着部７２４は、ホルダシート７２の長辺方向である左側端５１ｃから右側端５１ｄに亘って形成される。
【００４１】
このように、ホルダシート７２の接着片７２１が本体シート５１の裏面側に折り返されてホルダシート７２が本体シート５１と固定されるため、インデックス５Ａ３には、本体シート５１の下端５１ｂ側が閉じられ、本体シート５１の上端５１ａ側、左側端５１ｃ側及び右側端５１ｄ側が開口されたホルダ７３が形成される。
【００４２】
なお、図示はしないが、ホルダシート７２は、左側端７２ｃ及び右側端７２ｄの各々から延設される舌片部を備えて、その舌片部を本体シート５１の裏面側に折り返して固定する構成としてもよい。こうすることで、ホルダ７３は、本体シート５１の左側端５１ｃ側及び右側端５１ｄ側も閉じられるように形成することができる。また、ホルダシート７２は、舌片部の代わりに溶着によって左側端７２ｃ側及び右側端７２ｄ側を閉じる構成としてもよい。
【００４３】
図７（ｃ）は、インデックス５Ａ３を一体部材により形成した場合のインデックス５Ａ３'の右側面図である。インデックス５Ａ３'のホルダ７３'は、本体シート５１が下端部７２３'で表側に折り返されることにより形成される。これにより、インデックス５Ａ３'には、本体シート５１の下端５１ｂ側が閉じられ、本体シート５１の上端５１ａ側、左側端５１ｃ側（不図示）及び右側端５１ｄ側が開口されたホルダ７３'が形成される。
【００４４】
なお、ホルダ７３'と本体シート５１とを、本体シート５１の左側端５１ｃ側及び右側端５１ｄ側の両端で接着させてもよく、この場合、本体シート５１の下端５１ｂ側、左側端５１ｃ側及び右側端５１ｄ側が閉じられ、本体シート５１の上端５１ａ側が開口されたホルダ７３'を形成することができる。
【００４５】
このように、図７（ａ）〜（ｃ）に示したインデックス５Ａ３，５Ａ３'は、本体シート５１の下端５１ｂ側にホルダ７３，７３'を設けたため、書類６の出し入れや収容の際に書類６をより安定して支持することができる。また、インデックス５Ａ３'は、一体部材により形成されるため、部材の点数を減らした簡易な構成とすることができる。
【００４６】
（実施形態４）
つぎに、実施形態４について説明する。図８（ａ）は実施形態４のインデックス５Ａ４の正面図であり、図８（ｂ）はインデックス５Ａ４の右側面図である。
【００４７】
インデックス５Ａ４は、本体シート５１とホルダシート７２Ｂにより形成される。ホルダシート７２Ｂは，左右方向に長尺の略矩形の帯状に形成される。ホルダシート７２Ｂの左側端７２ｃ及び右側端７２ｄは、本体シートの左側端５１ｃから右側端５１ｄに亘って形成される。ホルダシート７２Ｂは、境界７２４Ｂを境に２つの保持片７２２Ｂを有する。ホルダシート７２Ｂは、境界７２４Ｂにより折り曲げられて、本体シート５１の下端５１ｂ側に取り付けられる。よって、一方の保持片７２２Ｂは図８（ａ）に示す本体シート５１の表面側に配置され、他方の保持片７２２Ｂは本体シート５１の裏面側に配置される（図８（ｂ）も参照）。
【００４８】
また、ホルダシート７２Ｂと本体シート５１とは接着部７２５によって固定される。接着部７２５は、本体シート５１の下端５１ｂ側において、ホルダシート７２Ｂの長辺方向である左側端７２ｃから右側端７２ｄに亘って形成される。接着部７２５は、熱溶着によって形成することができる。
【００４９】
このように、接着部７２５によって、インデックス５Ａ４には、本体シート５１の下端５１ｂ側が閉じられ、本体シート５１の上端５１ａ側が開口されたホルダ７３Ｂが形成される。インデックス５Ａ４には、両面に書類を収容することができ、収容性を高めることができる。
【００５０】
なお、図示はしないが、ホルダシート７２Ｂは、左側端７２ｃ及び右側端７２ｄにおいて、溶着等で本体シート５１に接着される構成としてもよい。こうすることで、ホルダ７３Ｂは、本体シート５１の左側端５１ｃ側及び右側端５１ｄ側も閉じられるように形成することができる。
【００５１】
（実施形態５）
つぎに、実施形態５について説明する。図９（ａ）は実施形態５のインデックス５Ａ５の正面図であり、図９（ｂ）はインデックス５Ａ５の右側面図である。
【００５２】
インデックス５Ａ５は、本体シート５１とホルダシート８２により形成される。ホルダシート８２は本体シート５１と略同じ大きさの矩形形状であるが、ホルダシート８２の上端８２ａは本体シート５１の上端５１ａよりやや短く形成される。ホルダシート８２は、下端側の境界８２３を境に、一方側に保持片８２２を有し、他方側に接着片８２１を有する。境界８２３で折り曲げられたホルダシート８２は、本体シート５１の下端５１ｂ側に取り付けられる。ホルダシート８２の保持片８２２は図９（ａ）に示す本体シート５１の表面側に配置され、接着片８２１は本体シート５１の裏面側に配置される（図９（ｂ）も参照）。
【００５３】
ホルダシート８２の接着片８２１は、接着部８２４によって本体シート５１に裏面側から固定される。接着部８２４は、接着片８２１の長辺方向である左側端８２ｃから右側端８２ｄに亘って形成される。
【００５４】
このように、ホルダシート８２の接着片８２１が本体シート５１の裏面側に折り返されてホルダシート８２が本体シート５１と固定されるため、インデックス５Ａ５には、本体シート５１の下端５１ｂ側が閉じられ、本体シート５１の上端５１ａ側、左側端５１ｃ側及び右側端５１ｄ側が開口されたホルダ８３が形成される。
【００５５】
なお、図示はしないが、ホルダシート８２は、左側端８２ｃ及び右側端８２ｄの各々から延設される舌片部を備えて、その舌片部を本体シート５１の裏面側に折り返して固定する構成としてもよい。こうすることで、ホルダ８３は、本体シート５１の左側端５１ｃ側及び右側端５１ｄ側も閉じられるように形成することができる。また、ホルダシート８２は、その舌片部の代わりに溶着によって左側端８２ｃ側及び右側端８２ｄ側を閉じる構成としてもよい。
【００５６】
図９（ｃ）はインデックス５Ａ５を一体部材により形成した場合のインデックス５Ａ５'の右側面図を示す。インデックス５Ａ３'のホルダ８３'は、本体シート５１が下端部８２３'で表側に折り返されることにより形成される。これにより、インデックス５Ａ５'には、本体シート５１の下端５１ｂ側が閉じられ、本体シート５１の上端５１ａ側、左側端５１ｃ側及び右側端５１ｄ側（不図示）が開口されたホルダ８３'が形成される。
【００５７】
なお、ホルダ８３'と本体シート５１とを、本体シート５１の左側端５１ｃ側及び右側端５１ｄ側の両端で接着させてもよく、この場合、本体シート５１の下端５１ｂ側、左側端５１ｃ側及び右側端５１ｄ側が閉じられ、本体シート５１の上端５１ａ側が開口されたホルダ８３'を形成することができる。
【００５８】
このように、図９（ａ）〜（ｃ）に示したインデックス５Ａ５，５Ａ５'では、ホルダ８３，８３'に収容される書類６の全体を覆うことができるため、書類６の取り出しや保管の際の脱落を防止したり、書類６を外部から保護することができる。また、インデックス５Ａ５'は、一体部材により形成されるため、部材の点数を減らした簡易な構成とすることができる。
【００５９】
（実施形態６）
つぎに、実施形態６について説明する。図１０（ａ）は実施形態６のインデックス５Ａ６の正面図であり、図１０（ｂ）はインデックス５Ａ６の右側面図を示す。
【００６０】
インデックス５Ａ６は、本体シート５１とホルダシート８２Ｂにより形成される。ホルダシート８２Ｂは本体シート５１と略同じ大きさの矩形形状であるが、ホルダシート８２Ｂの上端８２ａは本体シート５１の上端５１ａよりやや短く形成される。ホルダシート８２Ｂは、境界８２４Ｂを境に２つの保持片８２２Ｂを有する。ホルダシート８２Ｂは、境界８２４Ｂにより折り曲げられ、本体シート５１の下端５１ｂ側に取り付けられる。よって、一方の保持片８２２Ｂは図１０（ａ）に示す本体シート５１の表面側へ配置され、他方の保持片８２２Ｂは本体シート５１の裏面側に配置される（図１０（ｂ）も参照）。
【００６１】
また、ホルダシート８２Ｂと本体シート５１とは接着部８２５によって固定される。接着部８２５は、本体シート５１の下端５１ｂ側において、ホルダシート８２Ｂの左側端８２ｃから右側端８２ｄに亘って形成される。接着部８２５は、熱溶着によって形成することができる。
【００６２】
このように、接着部８２５によって、インデックス５Ａ６には、本体シート５１の下端５１ｂ側が閉じられ、本体シート５１の上端５１ａ側が開口されたホルダ８３Ｂが形成される。インデックス５Ａ６には、両面に書類を収容することができ、収容性を高めることができる。
【００６３】
なお、図示はしないが、ホルダシート８２Ｂは、左側端８２ｃ及び右側端８２ｄにおいて、溶着等で本体シート５１に接着される構成としてもよい。こうすることで、ホルダ８３Ｂは、本体シート５１の左側端５１ｃ側及び右側端５１ｄ側も閉じられるように形成することができる。
【００６４】
（実施形態７）
つぎに、実施形態７について説明する。図１１（ａ）は実施形態７のインデックス５Ａ７の正面図であり、図１１（ｂ）はインデックス５Ａ７の左側面図である。
【００６５】
インデックス５Ａ７は、本体シート５１とホルダシート９２により形成される。ホルダシート９２は、本体シート５１の右側端５１ｄ及び下端５１ｂと略同じ長さの２辺を有する略直角三角形状に形成される。ホルダシート９２は、下端側の境界９２３を境に、一方側に保持片９２２を有し、他方側に接着片９２１を有する。境界９２３で折り曲げられたホルダシート９２は、本体シート５１の下端５１ｂ側に取り付けられる。ホルダシート９２の保持片９２２は図１１（ａ）に示す本体シート５１の表面側に配置され、接着片９２１は、本体シート５１の裏面側に配置される（図１１（ｂ）も参照）。
【００６６】
ホルダシート９２の接着片９２１は、接着部９２４によって本体シート５１に裏面側から固定される。接着部９２４は、接着片９２１の左側端９２ｃから右側端９２ｄに亘って形成される。
【００６７】
このように、ホルダシート９２の接着片９２１が本体シート５１の裏面側に折り返され、ホルダシート９２が本体シート５１と固定されるため、インデックス５Ａ７には、本体シート５１の下端５１ｂ側が閉じられ、本体シート５１の上端５１ａ側、左側端５１ｃ側及び右側端５１ｄ側が開口されたホルダ９３が形成される。
【００６８】
このように、図１１（ａ）〜（ｃ）に示したインデックス５Ａ７，５Ａ７'では、保持片９２２がホルダ９３に収容される書類の下端側全体と右側端側全体を覆うことができるため、書類６の取り出しや保管の際の脱落を防止することができる。また、保持片９２２は略直角三角形状に形成されたため、使用者は、書類６を捲りやすくインデックス５Ａ７に対する出し入れを容易に行うことができる。
【００６９】
図１１（ｃ）は、インデックス５Ａ７を一体部材により形成した場合のインデックス５Ａ７'の左側面図である。インデックス５Ａ７'のホルダ９３'は、本体シート５１が下端部９２３'で表側に折り返されることにより形成される。これにより、インデックス５Ａ７'には、本体シート５１の下端５１ｂ側が閉じられ、本体シート５１の上端５１ａ側、左側端５１ｃ側及び右側端５１ｄ側が開口されたホルダ９３'を形成することができる。
【００７０】
なお、ホルダ９３'と本体シート５１とを、本体シート５１の右側端５１ｄ側で接着させてもよく、この場合、本体シート５１の下端５１ｂ側及び右側端５１ｄ側が閉じられ、本体シート５１の上端５１ａ側及び左側端５２ｃ側が開口されたホルダ９３'を形成することができる。
【００７１】
なお、図示はしないが、ホルダシート９２は、右側端９２ｄから延設される舌片部を備えて、その舌片部を本体シート５１の裏面側に折り返して固定する構成としてもよい。こうすることで、ホルダ９３は、本体シート５１の右側端５１ｄ側も閉じられるように形成することができる。インデックス５Ａ７'は、一体部材により形成されるため、部材の点数を減らした簡易な構成とすることができる。
【００７２】
（実施形態８）
つぎに、実施形態８について説明する。図１２（ａ）は実施形態８のインデックス５Ａ８の正面図であり、図１２（ｂ）はインデックス５Ａ８の左側面図を示す。
【００７３】
インデックス５Ａ８は、本体シート５１とホルダシート９２Ｂにより形成される。ホルダシート９２Ｂは、本体シート５１の右側端５１ｄ及び下端５１ｂと略同じ長さの２辺を有する略直角三角形状に形成される。ホルダシート９２Ｂは、境界９２４Ｂを境に２つの保持片９２２Ｂを有する。ホルダシート９２Ｂは、境界９２４Ｂにより折り曲げられ、本体シート５１の下端５１ｂ側に取り付けられる。よって、一方の保持片９２２Ｂは図１２（ａ）に示す本体シート５１の表面側へ配置され、他方の保持片９２２Ｂは本体シート５１の裏面側に配置される（図１２（ｂ）も参照）。
【００７４】
また、ホルダシート９２Ｂと本体シート５１とは接着部９２５によって固定される。接着部９２５は、本体シート５１の下端５１ｂ側において、ホルダシート９２Ｂの左側端９２ｃから右側端９２ｄに亘って形成される。接着部９２５は、熱溶着によって溶着することができる。
【００７５】
このように、接着部９２５によって、インデックス５Ａ８には、本体シート５１の下端５１ｂ側が閉じられ、本体シート５１の上端５１ａ側が開口されたホルダ９３Ｂが形成される。よって、インデックス５Ａ８は、両面に書類を収容することができ、収容性を高めることができる。
【００７６】
なお、図示はしないが、ホルダシート９２Ｂは、右側端９２ｄにおいて、溶着等で本体シート５１に接着される構成としてもよい。こうすることで、ホルダ９３Ｂは、本体シート５１の右側端５１ｄ側も閉じられるように形成することができる。
【００７７】
以上、本発明の実施形態を説明したが、本発明は本実施形態によって限定されることなく、種々の形態で実施することができる。例えば、本実施形態では、複数のポケット３がカバー２に綴じられたファイル１について説明したが、ポケット３とポケット３に収容されるインデックス５の一組を一つのファイルとして構成してもよい。これにより、書類の取り出しを容易としつつ携帯性を備えたファイルとすることができる。
【００７８】
また、実施形態１，２，７，８のホルダ５３，５３Ｂ，９３，９３Ｂは、本体シート５１に左右対象となるように設けてもよい。また、実施形態３〜６のホルダ７３，７３Ｂ，８３，８３Ｂの側端を本体シート５１と接着させる場合、ホルダ７３，７３Ｂ，８３，８３Ｂは、左側端７２ｃ，８２ｃ側及び右側端７２ｄ，８２ｄ側のいずれか一方を本体シート５１と固定する構成としてもよい。
【符号の説明】
【００７９】
１        ファイル                          ２        カバー
３        ポケット                          ３ａ      開口部
３ｂ      底部                              ４        ホルダ
５        インデックス                      ５Ａ      インデックス
５Ａ２    インデックス                      ５Ａ３    インデックス
５Ａ３'  インデックス                      ５Ａ４    インデックス
５Ａ５    インデックス                      ５Ａ５'  インデックス
５Ａ６    インデックス                      ５Ａ７    インデックス
５Ａ７'  インデックス                      ５Ａ８    インデックス
５Ｂ〜５Ｌ  インデックス                    ６        書類
６ｂ      下端                              ２１      表表紙
２１ｂ    下端                              ２２      背表紙
２２ｂ    下端                              ２３      裏表紙
２３ｂ    下端
４１      シート                            ４１ａ    上端
４１ｂ    下端                              ４１ｄ    側端
４２      接着部                            ４３      接着部
４４      開通部                            ４５      上方角部
５１      本体シート                        ５１ａ    上端
５１ｂ    下端                              ５１ｃ    左側端
５１ｄ    右側端                            ５２      ホルダシート
５２Ｂ    ホルダシート                      ５２ａ    上端
５２ａ１  切込部                            ５２ｃ    左側端
５３      ホルダ                            ５３Ｂ    ホルダ
５３ｂ    下端                              ７２      ホルダシート
７２Ｂ    ホルダシート                      ７２ｃ    左側端
７２ｄ    右側端                            ７３      ホルダ
７３'    ホルダ                            ７３Ｂ    ホルダ
８２      ホルダシート                      ８２Ｂ    ホルダシート
８２ａ    上端                              ８２ｃ    左側端
８２ｄ    右側端                            ８３      ホルダ
８３'    ホルダ                            ８３Ｂ    ホルダ
９２      ホルダシート                      ９２Ｂ    ホルダシート
９２ｃ    左側端                            ９２ｄ    右側端
９３      ホルダ                            ９３'    ホルダ
９３Ｂ    ホルダ                            ２１１    切欠部
２１２    角部                              ３０１    接続部
５１１    ラベル                            ５１１Ａ  ラベル
５１３    角部                              ５２１    接着片
５２１ｂ  下端                              ５２２    保持片
５２２Ｂ  保持片                            ５２２ｂ  下端
５２３    角部                              ５２４    境界
５２４Ｂ  境界                              ５２５    舌片部
５２６    接着部                            ５２７    接着部
５２８    接着部                            ７２１    接着片
７２２    保持片                            ７２２Ｂ  保持片
７２３    境界                              ７２３'  下端部
７２４    接着部                            ７２４Ｂ  境界
７２５    接着部                            ８２１    接着片
８２２    保持片                            ８２２Ｂ  保持片
８２３    境界                              ８２３'  下端部
８２４    接着部                            ８２４Ｂ  境界
８２５    接着部                            ９２１    接着片
９２２    保持片                            ９２２Ｂ  保持片
９２３    境界                              ９２３'  下端部
９２４    接着部                            ９２４Ｂ  境界
９２５    接着部
【図１】
2018176436.tif 000003
【図２】
2018176436.tif 000004
【図３】
2018176436.tif 000005
【図４】
2018176436.tif 000006
【図５】
2018176436.tif 000007
【図６】
2018176436.tif 000008
【図７】
2018176436.tif 000009
【図８】
2018176436.tif 000010
【図９】
2018176436.tif 000011
【図１０】
2018176436.tif 000012
【図１１】
2018176436.tif 000013
【図１２】
2018176436.tif 000014